(57)【要約】【課題】送信側から伝搬路を介して受信される信号を処理する受信機を設けた通信システムで、等化器３９のタップ利得係数の値を効果的に設定する。【解決手段】受信機では、等化器３９が受信される信号をタップ利得係数に基づいて等化処理し、取得手段３５、３６が受信される信号に含まれる所定の信号部分（例えば、同期ワード）について相関結果を取得し、設定手段３７、３８が取得手段３５、３６により取得された相関結果に基づいて伝搬路の逆特性を有するインパルス応答を実現する値を等化器３９のタップ利得係数の値として設定する。【選択図】  図２
2007228004.tif 000002
【特許請求の範囲】
【請求項１】
送信側から伝搬路を介して受信される信号を処理する受信機を設けた通信システムにおいて、
前記受信機は、前記受信される信号をタップ利得係数に基づいて等化処理する等化器と、
前記受信される信号に含まれる所定の信号部分について相関結果を取得する取得手段と、
前記取得手段により取得された相関結果に基づいて前記伝搬路の逆特性を有するインパルス応答を実現する値を前記等化器のタップ利得係数の値として設定する設定手段と、を備えた、
ことを特徴とする通信システム。
【請求項２】
請求項１に記載の通信システムにおいて、
前記受信される信号は、同期ワードの信号部分を含むフレームの信号であり、
前記所定の信号部分として、前記同期ワードの信号部分が用いられ、
前記受信機の前記取得手段は、前記同期ワードのパターンを記憶する記憶手段と、前記受信される信号に含まれる前記同期ワードの信号部分と前記記憶手段に記憶された前記同期ワードのパターンとの相関結果を演算する相関演算手段を用いて構成され、
前記受信機の前記設定手段は、前記送信側の送信フィルタの特性と受信側の受信フィルタの特性との積に相当する特性を有するインパルス応答を所定の係数に基づいてフィルタリングするフィルタ手段と、前記フィルタ手段の特性を前記送信フィルタと前記受信フィルタを含めた前記伝搬路の特性の逆特性とするように前記取得手段により取得された相関結果に基づいて前記フィルタ手段の係数を設定する係数設定手段を用いて構成された、
ことを特徴とする通信システム。
【請求項３】
送信側から伝搬路を介して受信される信号を等化器により等化処理する等化処理方法において、
前記受信される信号に含まれる所定の信号部分について相関結果を取得し、
前記取得された相関結果に基づいて前記伝搬路の逆特性を有するインパルス応答を実現する値を前記等化器のタップ利得係数の値として設定し、
前記受信される信号を前記等化器によりタップ利得係数に基づいて等化処理する、
ことを特徴とする等化処理方法。
【発明の詳細な説明】
【技術分野】
【０００１】
本発明は、等化器のタップ利得係数の値を設定する受信機を設けた通信システムなどに関し、特に、等化器のタップ利得係数の初期値又は固定値を効果的に設定する受信機を設けた通信システムなどに関する。
【背景技術】
【０００２】
例えば、受信機では、トランスバーサル等化器などの等化器が用いられる（例えば、非特許文献１参照。）。
ここで、等化器にタップ利得係数を設定するタップ制御部の機能は、最小２乗（ＬＭＳ：Ｌｅａｓｔ  Ｍｅａｎ  Ｓｑｕａｒｅｓ）のアルゴリズムや、逐次最小２乗（ＲＬＳ：Ｒｅｃｕｒｓｉｖｅ  Ｌｅａｓｔ  Ｓｑｕａｒｅｓ）のアルゴリズムなどを用いて実現される。
ＬＭＳアルゴリズムでは、係数を収束させるために、最低でも３０〜５０シンボルが必要であり、送信側及び受信側で既知である固定シンボルをフレームに３０〜５０シンボル割り当てる必要がある。
一方、ＲＬＳアルゴリズムでは、１０シンボル程度で十分に係数を収束させることができるが、演算が複雑であるためハードウエアの構成が複雑となる。このため、小型化が要求される携帯無線端末装置などでは、ＲＬＳアルゴリズムの実装が難しく、ＬＭＳアルゴリズムを用いざるを得ないという状況がある。
【０００３】
図６（ａ）、（ｂ）には、一般的なデジタル無線通信に用いられる無線フレームのフォーマットの一例を示してある。
無線フレームの種別としては、基本的には、同期バーストと、制御チャネルと、通信チャネルの３種類ある。図６では、（ａ）に同期バースト或いは制御チャネルで用いられる無線フレームフォーマットの一例を示してあり、（ｂ）に通信チャネルで用いられる無線フレームフォーマットの一例を示してある。
同期バーストは通信の開始時に送信されて受信機によるタイミング同期などに用いられ、制御チャネルは通信の制御に用いられ、通信チャネルは伝送したい音声や非音声のデータの伝送に用いられる。
【０００４】
図６（ａ）に示される同期バーストや制御チャネルの無線フレームは、ガードタイム（Ｇ）と、プリアンブルと、データと、同期ワード（ＳＷ）と、データと、ガードタイム（Ｇ）をこの順に並べて構成されている。
図６（ｂ）に示される通信チャネルの無線フレームは、ガードタイム（Ｇ）と、データと、同期ワード（ＳＷ）と、データと、ガードタイム（Ｇ）をこの順で並べて構成されている。
【０００５】
図６（ａ）、（ｂ）に示されるように、各種別の無線フレームには共通して同期ワードが割り当てられ、同期ワードとしては送信側及び受信側で既知である固定パターンが用いられる。同期ワードの長さＮｓは一般に１０〜１６シンボル程度である。
また、図６（ａ）に示されるように、同期バースト及び制御チャネルの無線フレームにはプリアンブルが割り当てられ、プリアンブルとしては送信側及び受信側で既知であり且つ受信側によりシンボルタイミングの同期を取り易いように繰り返しの固定パターンが用いられる。プリアンブルの長さＮｐは一般に３０〜６０シンボル程度である。
【０００６】
なお、本例では、全ての制御チャネルにプリアンブルが割り当てられる場合を示したが、他の構成例として、システムによっては、同期バースト及び上り通信（端末装置が送信して基地局装置が受信する通信）の制御チャネルにのみプリアンブルを割り当てて、下り通信（基地局装置が送信して端末装置が受信する通信）の制御チャネルにはプリアンブルを割り当てない場合もある。
【０００７】
【特許文献１】特開２００４−１７２７２４号公報
【非特許文献１】斉藤著、「ディジタル無線通信の変復調」、電子情報通信学会、特に５．３．２（ｐ．１７６以降）参照
【非特許文献２】ＡＲＩＢ  ＳＴＤ−Ｔ６１、「狭帯域デジタル通信方式（ＳＣＰＣ／ＦＤＭＡ）」、社団法人電波産業会
【非特許文献３】ＡＲＩＢ  ＳＴＤ−Ｔ７９、「市町村デジタル移動通信システム」、社団法人電波産業会
【発明の開示】
【発明が解決しようとする課題】
【０００８】
図６（ａ）、（ｂ）に示されるような無線フレームを用いて通信が行われる場合、受信機では、通信の開始時や通信の制御を行っている時には、３０〜６０シンボル程度からなるプリアンブルを含むフレーム信号を受信するため、このプリアンブルを用いて等化器のタップ利得係数をＬＭＳアルゴリズムにより更新して十分に収束させることができる。
しかしながら、定常の通信状態へ移行すると、受信機では、受信信号に含まれる既知シンボルが１０〜１６シンボル程度からなる同期ワードのみとなり、この同期ワードによってはタップ利得係数を初期状態（通常は、タップ利得係数を全て０に初期化した状態）から更新して収束させることは不可能であった。このため、タップ利得係数を前のフレームにおける状態から更新する必要があるが、この場合、フェージングなどによって或るフレームでタップ利得係数が発散してしまうと、そのフレーム以降については、発散したままとなり受信することができなくなってしまう。
【０００９】
上記のことに鑑みると、例えば、定常の通信状態では、タップ利得係数を前のフレームの状態に依存しない初期値から更新することが望ましいと考えられる。
本発明は、このような従来の事情に鑑み為されたもので、等化器のタップ利得係数の値を効果的に設定することができる受信機を設けた通信システムなどを提供することを目的とする。具体的には、例えば、タップ制御部のアルゴリズムに関係なく、１０〜１６シンボル程度からなる同期ワードなどから等化器のタップ利得係数の初期値を推定することや、又は、１０〜１６シンボル程度からなる同期ワードなどから等化器のタップ利得係数の固定値を推定することを実現する。
【課題を解決するための手段】
【００１０】
上記目的を達成するため、本発明に係る通信システムでは、次のような構成により、受信機が、送信側（通信相手となる送信機の側）から伝搬路を介して受信される信号を処理する。
すなわち、前記受信機では、等化器が、前記受信される信号をタップ利得係数に基づいて等化処理する。取得手段が、前記受信される信号に含まれる所定の信号部分について、相関結果を取得する。設定手段が、前記取得手段により取得された相関結果に基づいて、前記伝搬路の逆特性を有するインパルス応答を実現する値を、前記等化器のタップ利得係数の値として設定する。
【００１１】
従って、等化器のタップ利得係数の値（例えば、初期値又は固定値）を効果的に設定することができる。
具体的には、一例として、タップ利得係数を制御する制御部（タップ制御部）のアルゴリズムに関係なく、１０〜１６シンボル程度からなる同期ワードによっても、等化器のタップ利得係数の初期値を推定して設定することができる。この場合、定常の通信状態において、タップ利得係数を前のフレームの状態に依存しない初期値から更新することができ、タップ利得係数の発散による受信不可能状態の継続を防止することができる。
他の一例として、１０〜１６シンボル程度からなる同期ワードによっても、等化器のタップ利得係数の固定値を推定して設定することができる。
【００１２】
ここで、等化器の構成や、タップ利得係数の数（タップ数）や、タップ利得係数を更新するアルゴリズムなどとしては、種々な態様が用いられてもよい。
また、相関結果を取得する所定の信号部分としては、種々な信号部分が用いられてもよく、例えば、送信側と受信側（受信機の側）とで予め共通に設定されている既知な信号部分を用いることができ、具体的には、同期ワードの信号部分やプリアンブルの信号部分などを用いることができる。
また、等化器のタップ利得係数の初期値を設定するタイミングとしては、種々なタイミングが用いられてもよく、好ましい態様として、各フレーム毎に１回のタイミングを用いることができ、他の態様として、所定の複数個のフレーム毎に１回のタイミングや、或いは、１個以上のタップ利得係数が所定の閾値以上となって（又は、所定の閾値を超えて）発散しそうなことを検出したときのタイミングなどを用いることができる。
【００１３】
また、等化器のタップ利得係数は、例えば、或る初期値が設定されてから次の初期値が設定されるまでの間は、等化処理後の受信信号とその識別後の値との誤差などに基づいて更新される。又は、等化器のタップ利得係数を更新しない構成が用いられてもよく、この場合、等化器のタップ利得係数は、或る初期値が設定されてから次の初期値が設定されるまでの間は、一定の値となる。
つまり、等化器のタップ利得係数の値を次に設定されるまで初期値から更新する構成ばかりでなく、等化器のタップ利得係数の値を次に設定されるまで設定された値（固定値）に維持する構成を用いることも可能である。
【００１４】
また、一例として、同一の信号について、当該信号に含まれる所定の信号部分（例えば、同期ワードなどの部分）の相関結果に基づいて等化器のタップ利得係数の初期値を設定し、当該信号に含まれる他の信号部分（例えば、データ部分）を等化器により等化処理することができ、この場合、例えば、当該信号をいったんメモリに記憶した後に、等化器のタップ利得係数の初期値の設定や等化器による等化処理を行うことができる。また、この場合、等化器のタップ利得係数を更新するときには、等化器のタップ利得係数の初期値を設定するために用いた前記所定の信号部分に近い方から遠い方へ向かって、前記他の信号部分について等化器のタップ利得係数を更新するのが好ましい。
【００１５】
他の一例として、或る信号（例えば、制御チャネルの信号）に含まれる所定の信号部分の相関結果に基づいて等化器のタップ利得係数の初期値を設定し、他の信号（例えば、通信チャネルの信号）に含まれる信号部分を等化器により等化処理することができる。例えば、ＴＤＭＡ（Ｔｉｍｅ  Ｄｉｖｉｓｉｏｎ  Ｍｕｌｔｉｐｌｅ  Ａｃｃｅｓｓ）方式が使用される場合には、制御チャネルの信号と通信チャネルの信号が異なる時間スロットで通信され、この場合、制御チャネルの信号を用いて等化器のタップ利得係数の初期値を設定し、次の通信チャネルの信号を等化器により等化処理するようなことができる。
なお、通信方式としては、種々なものが用いられてもよく、ＴＤＭＡ方式ばかりでなく、例えば、ＦＤＭＡ（Ｆｒｅｑｕｅｎｃｙ  Ｄｉｖｉｓｉｏｎ  Ｍｕｌｔｉｐｌｅ  Ａｃｃｅｓｓ）方式などが使用されてもよい。
【００１６】
本発明に係る通信システムでは、一構成例として、次のような構成とした。
すなわち、前記受信される信号は、同期ワードの信号部分を含むフレームの信号である。前記所定の信号部分として、前記同期ワードの信号部分が用いられる。
前記受信機の前記取得手段は、記憶手段と、相関演算手段を用いて構成される。前記記憶手段は、前記同期ワードのパターンを記憶する。前記相関演算手段は、前記受信される信号に含まれる前記同期ワードの信号部分と前記記憶手段に記憶された前記同期ワードのパターンとの相関結果を演算する。
前記受信機の前記設定手段は、フィルタ手段と、係数設定手段を用いて構成される。前記フィルタ手段は、前記送信側の送信フィルタの特性と受信側（受信機の側）の受信フィルタの特性との積に相当する特性を有するインパルス応答を、所定の係数に基づいて、フィルタリングする。前記係数設定手段は、前記フィルタ手段の特性を前記送信フィルタと前記受信フィルタを含めた前記伝搬路の特性の逆特性とするように、前記取得手段により取得された相関結果に基づいて、前記フィルタ手段の係数を設定する。
従って、受信信号に含まれる同期ワードを用いて、等化器のタップ利得係数の値を効果的に設定することができる。
【００１７】
ここで、同期ワードを含むフレームとしては、種々なフレームが用いられてもよく、例えば、通信チャネルのフレームや、制御チャネルのフレームや、同期バーストのフレームを用いることができる。
また、送信側から送信される同期ワードのパターンと受信側で記憶される同期ワードのパターンとは同一であり、例えば、送信側から送信される同期ワードのパターンは伝搬路などの特性による影響を受けた後に受信側で検出される。
また、記憶手段としては、例えば、メモリを用いて構成することができる。
【００１８】
また、送信側の送信フィルタや受信側の受信フィルタとしては、種々なものが用いられてもよく、例えば、デジタル変調の符号間干渉を抑えるために、これらのフィルタの特性の積がロールオフ特性となる構成や、或いは、これらのフィルタのそれぞれがロールオフ特性を有する構成が用いられるのが好ましい。一例として、同一のルートロールオフ特性Ｒ’（ｚ）を有するフィルタを送信フィルタ及び受信フィルタとして用いることができ、この場合、これらの特性の積はロールオフ特性Ｒ（ｚ）＝｛Ｒ’（ｚ）｝２となる。
また、フィルタ手段の構成や、フィルタ手段の係数の数（次数）などとしては、種々な態様が用いられてもよい。
【００１９】
また、本発明は、方法として提供することもできる。
一例として、本発明に係る等化処理方法では、次のようにして、送信側から伝搬路を介して受信される信号を等化器により等化処理する。
すなわち、前記受信される信号に含まれる所定の信号部分について相関結果を取得し、前記取得された相関結果に基づいて前記伝搬路の逆特性を有するインパルス応答を実現する値を前記等化器のタップ利得係数の値として設定し、前記受信される信号を前記等化器によりタップ利得係数に基づいて等化処理する。
従って、等化器のタップ利得係数の値を効果的に設定することができる。
【発明の効果】
【００２０】
以上説明したように、本発明に係る通信システムなどによると、受信信号に含まれる所定の信号部分について相関結果を取得し、取得した相関結果に基づいて伝搬路の逆特性を有するインパルス応答を実現する値を等化器のタップ利得係数の値として設定し、受信信号を等化器によりタップ利得係数に基づいて等化処理するようにしたため、等化器のタップ利得係数の値を効果的に設定することができ、例えば、１０〜１６シンボル程度からなる同期ワードによっても、等化器のタップ利得係数の初期値を推定して設定することができ、これにより、定常の通信状態において、タップ利得係数を過去（例えば、前のフレーム）の状態に依存しない初期値から更新することができ、タップ利得係数の発散による受信不可能状態の継続を防止することができる。
【発明を実施するための最良の形態】
【００２１】
本発明に係る実施例を図面を参照して説明する。
図１には、本発明の一実施例に係る無線通信システムの概略的な構成例を示してある。
なお、本例の無線通信システムでは、基地局装置と携帯無線端末装置とが図６（ａ）、（ｂ）に示されるような無線フレームを用いて無線により通信する。基地局装置と携帯無線端末装置はそれぞれ送信機と受信機を有しており、基地局装置の送信機から携帯無線端末装置の受信機への通信や、携帯無線端末装置の送信機から基地局装置の受信機への通信が行われる。
【００２２】
図１に示される本例の無線通信システムでは、送信機１から受信機２へ無線の伝搬路３を介して通信が行われる。
送信機１は、アップサンプラ１１や、送信フィルタ部１２や、アンテナ１３を備えている。
受信機２は、アンテナ１４や、受信フィルタ部１５や、復調処理部１６を備えている。
【００２３】
送信機１から受信機２への信号の流れを説明する。
送信機１では、送信したい情報を含むシンボルｕmがアップサンプラ１１によりオーバーサンプリングされ、その結果ｘnが送信フィルタ部１２へ入力される。ここで、本例のオーバーサンプリングでは、間のサンプルは０で補間される。
送信フィルタ部１２は、その周波数特性がルートロールオフ特性であり、入力信号ｘnに対して波形整形と帯域制限を行い、その結果をアンテナ１３へ出力する。これにより、アンテナ１３から無線信号が送信される。ここで、送信フィルタ部１２の特性を表す伝達関数をＲ’（ｚ）とする。
なお、実際には、通常は、送信フィルタ部１２の出力端とアンテナ１３との間には、ＲＦ（Ｒａｄｉｏ  Ｆｒｅｑｕｅｎｃｙ）部や電力増幅部などが備えられるが、図１では説明を簡略化するために、これらを省略してあり、送信フィルタ部１２の出力端とアンテナ１３とを直接的に接続して示してある。
【００２４】
送信機１のアンテナ１３から受信機２のアンテナ１４までの伝搬路３の特性を表す伝達関数をＨ（ｚ）とする。
受信機２では、送信機１のアンテナ１３から送信された無線信号がアンテナ１４により受信され、アンテナ１４からの受信信号が受信フィルタ部１５へ入力され、受信フィルタ部１５からの出力信号ｙnが復調処理部１６へ入力される。ここで、受信フィルタ部１５は、送信フィルタ部１２と同じ伝達関数Ｒ’（ｚ）の特性を有するフィルタから構成されている。
なお、実際には、通常は、アンテナ１４と受信フィルタ部１５の入力端との間には、ＲＦ部などが備えられるが、図１では説明を簡略化するために、これらを省略してあり、アンテナ１４と受信フィルタ部１５の入力端とを直接的に接続して示してある。
復調処理部１６は、入力信号ｙnに対して復調処理を施し、その結果ｕ’mを出力する。
【００２５】
上記の処理を更に詳しく説明する。
アップサンプラ１１からの出力信号ｘnは、オーバーサンプル比（１シンボル当りのサンプリング回数）をＮｏｖとすると、（式１）のように表される。ここで、ｍはシンボル番号であり、ｎはサンプル番号である。
【００２６】
【数１】
2007228004.tif 000003
【００２７】
送信フィルタ部１２と伝搬路３と受信フィルタ部１５を合わせた特性を表す伝達関数をＰ（ｚ）とする。
また、（フル）ロールオフ特性の伝達関数をＲ（ｚ）とし、Ｒ（ｚ）はルートロールオフ特性の伝達関数Ｒ’（ｚ）の２乗に等しいとする、つまりＲ（ｚ）＝｛Ｒ’（ｚ）｝２とする。
この場合、（式２）が成り立つ。
【００２８】
【数２】
2007228004.tif 000004
【００２９】
Ｐ（ｚ）がタップ数ＮのＦＩＲ（Ｆｉｎｉｔｅ  Ｉｍｐｕｌｓｅ  Ｒｅｓｐｏｎｓｅ）フィルタの特性であるとして（式３）のように表されるとすると、受信フィルタ部１５からの出力信号ｙnは（式４）のように表される。
【００３０】
【数３】
2007228004.tif 000005
【００３１】
【数４】
2007228004.tif 000006
【００３２】
送信シンボルｕmが同期ワードなどのように送信側と受信側とで既知のシンボルである場合には、オーバーサンプリング後の信号ｘnは受信側で既知であるため、この信号ｘnと受信フィルタ部１５からの出力信号ｙnとの相関ｃnを演算することができる。この相関ｃnは（式５）のように表される。ここで、Ｍは既知のシンボルが継続するサンプル数であり、アスタリスク（＊）は複素共役を表す。
【００３３】
【数５】
2007228004.tif 000007
【００３４】
（式４）を（式５）に代入すると、（式６）が得られる。（式６）中の下線部は、ｘｎの自己相関である。
【００３５】
【数６】
2007228004.tif 000008
【００３６】
送信時のシンボルｕｍが一般的な無線システムで用いられるパターンを有する同期ワードパターンである場合には、ｘｎは自己相関が無いと仮定することができ、（式６）中の下線部は（式７）のように表される。すると、相関ｃｎは（式８）のように表される。
【００３７】
【数７】
2007228004.tif 000009
【００３８】
【数８】
2007228004.tif 000010
【００３９】
従って、受信信号と同期ワードパターンとの相関ｃｎは、送信フィルタ部１２の特性Ｒ’（ｚ）と受信フィルタ部１５の特性Ｒ’（ｚ）と伝搬路３の特性Ｈ（ｚ）を合わせた特性Ｐ（ｚ）そのものを表す。
ここで、等化器のタップ利得係数の最適値の一つは、伝搬路３の逆特性｛Ｈ（ｚ）｝−１のインパルス応答である。そこで、本例では、相関ｃｎから伝搬路３の逆特性のインパルス応答を求めてタップ利得係数の初期値として設定する。
【００４０】
次に、具体的な構成例を示す。
図２には、本例の受信機の更に具体的な構成例を示してある。
本例の受信機は、入力端子２１と出力端子２４との間に、受信フィルタ部２２と、復調処理部２３を備えている。
なお、図１では一部の構成を省略しているが、図２に示される受信フィルタ部２２は図１に示される受信機２の受信フィルタ部１５に対応しており、図２に示される復調処理部２３は図１に示される受信機２の復調処理部１６に対応している。
受信フィルタ部２２は、ＲＦ部３１と、Ａ／Ｄ（Ａｎａｌｏｇ  ｔｏ  Ｄｉｇｉｔａｌ）変換器３２と、直交復調部３３と、受信フィルタ３４を備えている。
復調処理部２３は、バッファ３５と、相関演算部３６と、係数設定部３７と、ＩＩＲ（Ｉｎｆｉｎｉｔｅ  Ｉｍｐｕｌｓｅ  Ｒｅｓｐｏｎｓｅ）フィルタ３８と、等化器３９を備えている。
【００４１】
本例の受信機において行われる動作の一例を示す。
受信信号が入力端子２１を介してＲＦ部３１に入力される。ＲＦ部３１は、受信信号に対して電力増幅と周波数変換を行い、その結果をＡ／Ｄ変換器３２へ出力する。Ａ／Ｄ変換器３２は、ＲＦ部３１から入力された信号をアナログ信号からデジタル信号へ変換し、その結果を直交復調部３３へ出力する。直交復調部３３は、入力信号を直交復調し、これにより得られたベースバンド信号の同相（Ｉ）成分と直交（Ｑ）成分を受信フィルタ３４へ出力する。受信フィルタ３４は、入力信号をフィルタリングし、その結果ｙｎをバッファ３５及び等化器３９へ出力する。
ここで、直交復調部３３の出力より後段の信号については、Ｉ成分とＱ成分の２本の信号が伝送されるが、図では簡略化のために１本の信号線で表している。
また、受信フィルタ部２２の全体の周波数特性はルートロールオフ特性であり、伝達関数はＲ’（ｚ）である。
【００４２】
バッファ３５は、受信フィルタ３４からの出力信号ｙｎの内で、同期ワード部の信号のみを抽出して格納し、格納した同期ワード部の信号を相関演算部３６へ出力する。
相関演算部３６は、バッファ３５から入力された同期ワード部の信号と所定の同期ワードパターン｛ｓ０、ｓ１、・・・、ｓＮｓｗ−１｝との相関ｃｎを演算し、その結果を係数設定部３７へ出力する。同期ワードパターンは、例えば、予めメモリに記憶されている。
なお、Ｎｓｗは、同期ワードシンボルが継続する数である。
係数設定部３７は、相関演算部３６から入力される相関ｃｎに基づいて、所定の係数ｂｋをＩＩＲフィルタ３８へ出力して設定する。
ＩＩＲフィルタ３８は、設定される係数ｂｋに基づいて所定の信号ｒｋをフィルタリング処理し、その結果ａｋを等化器３９へ出力する。
等化器３９は、ＩＩＲフィルタ３８から入力される信号ａｋに基づいて、受信フィルタ３４から入力される信号ｙｎに対して等化処理を行い、その結果ｕ’ｍを出力端子２４へ出力する。
【００４３】
図３には、相関演算部３６の構成例を示してある。
本例の相関演算部３６は、（Ｎｓｗ−１）個の１シンボル遅延回路Ａ（０）〜Ａ（Ｎｓｗ−２）と、Ｎｓｗ個の複素乗算器Ｂ（０）〜Ｂ（Ｎｓｗ−１）と、１個の複素加算器４２から構成されており、これらの処理部が入力端子４１と出力端子４３との間に設けられている。
バッファ３５からの信号が入力端子４１を介して１シンボル遅延回路Ａ（Ｎｓｗ−２）及び複素乗算器Ｂ（Ｎｓｗ−１）に入力される。
各１シンボル遅延回路Ａ（０）〜Ａ（Ｎｓｗ−２）は、信号を１シンボル分だけ遅延させる。
ｉ（ｉ＝０〜Ｎｓｗ−１）番目の複素乗算器Ａ（ｉ）では、（Ｎｓｗ−１−ｉ）個の１シンボル遅延回路を経由した入力信号とｉ番目の同期ワードパターンｓｉを入力して、これらを複素乗算した結果を複素加算器４２へ出力する。ここで、各複素乗算器Ｂ（０）〜Ｂ（Ｎｓｗ−１）が有する２つの入力端子の内で、同期ワードパターンが入力される方の入力端子（アスタリスク（＊）が付いた方の入力端子）は、入力値を複素共役に変換する。
複素加算器４２は、全ての複素乗算器Ｂ（０）〜Ｂ（Ｎｓｗ−１）から入力される信号を総和し、その結果を相関ｃｎとして出力端子４３を介して係数設定部３７へ出力する。
【００４４】
図４には、ＩＩＲフィルタ３８の構成例を示してある。
本例のＩＩＲフィルタ３８は、Ｎ個の複素加算器Ｃ（０）〜Ｃ（Ｎ−１）と、Ｎ個の複素乗算器Ｄ（０）〜Ｄ（Ｎ−１）と、（Ｎ−１）個の１サンプル遅延回路Ｅ（１）〜Ｅ（Ｎ−１）から構成されており、これらの処理部が入力端子５１と出力端子５２との間に設けられている。
入力端子５１には所定の信号ｒｋが入力される。
Ｎ個の複素加算器Ｃ（０）〜Ｃ（Ｎ−１）により、０番目の複素乗算器Ｄ（０）を除く全ての複素乗算器Ｄ（１）〜Ｄ（Ｎ−１）からの出力信号と入力端子５１からの入力信号を加算し、これらの総和結果（総和信号）を複素乗算器Ｄ（０）及び１サンプル遅延回路Ｅ（１）へ出力する。
各１サンプル遅延回路Ｅ（１）〜Ｅ（Ｎ−１）は、信号を１サンプル分だけ遅延させる。
ｊ（ｊ＝１〜Ｎ−１）番目の複素乗算器Ｄ（ｊ）では、ｊ個の１サンプル遅延回路を経由した前記総和信号と係数設定部３７により設定されるｊ番目の係数ｂｊを入力して、これらを複素乗算した結果を出力する。
０番目の複素乗算器Ｄ（０）では、入力される前記総和信号と係数設定部３７により設定される０番目の係数ｂ０とを複素乗算し、その結果ａｋを出力端子５２を介して等化器３９へ出力する。
【００４５】
ここで、ＩＩＲフィルタ３８の特性を表す伝達関数Ｂ（ｚ）は、（式９）のように表される。
【００４６】
【数９】
2007228004.tif 000011
【００４７】
ＩＩＲフィルタ３８の特性Ｂ（ｚ）を、送受信フィルタを含めた伝搬路の特性Ｐ（ｚ）の逆特性｛Ｐ（ｚ）｝−１とするためには、（式１０）を成り立たせる。この場合、（式１１）が成り立つ。
【００４８】
【数１０】
2007228004.tif 000012
【００４９】
【数１１】
2007228004.tif 000013
【００５０】
（式８）に示されるように、相関ｃｋはｐｋそのものであるため、（式１１）中のｐｋをｃｋに置き換えると、ＩＩＲフィルタ３８の係数は（式１２）のように表される。
【００５１】
【数１２】
2007228004.tif 000014
【００５２】
そこで、本例では、係数設定部３７が、相関演算部３６から入力される相関ｃｎに基づいて（式１２）に示される係数ｂｋを演算して、その結果をＩＩＲフィルタ３８へ出力して設定する。
なお、係数設定部３７により係数ｂｋを設定する時期や回数としては、種々な態様が用いられてもよく、本例では、１フレームに１回だけ設定する。
【００５３】
ＩＩＲフィルタ３８の入力端子５１に入力する信号としては、（フル）ロールオフフィルタのインパルス応答ｒｋ（ｋ＝０、１、・・・、Ｎｔａｐ−１）を用いる。この伝達関数はＲ（ｚ）であり、（式１３）のように表される。
【００５４】
【数１３】
2007228004.tif 000015
【００５５】
ＩＩＲフィルタ３８の出力端子５２からの出力信号ａｋ（ｋ＝０、１、・・・、Ｎｔａｐ−１）の伝達関数は、（式１４）のように表される。（式１４）に示されるように、ＩＩＲフィルタ３８からの出力信号ａｋは、伝搬路特性Ｈ（ｚ）の逆特性｛Ｈ（ｚ）｝−１を有するインパルス応答に相当する。
【００５６】
【数１４】
2007228004.tif 000016
【００５７】
図５には、等化器３９の構成例を示してある。
ここで、本例の等化器３９は、トランスバーサルフィルタを用いたトランスバーサル等化器であり、例えば、非特許文献１に記載されるのと同様な構成を有しており、同様な動作を行う。また、等化器３９のタップ数をＮｔａｐとし、タップ利得係数をｇｋ（ｋ＝０、１、・・・、Ｎｔａｐ−１）とする。
この等化器３９の特性を表す伝達関数Ｇ（ｚ）は、（式１５）のように表される。
【００５８】
【数１５】
2007228004.tif 000017
【００５９】
本例の等化器３９は、タップ付きの遅延線からなる遅延部６２と、Ｎｔａｐ個の複素乗算器Ｆ（０）〜Ｆ（Ｎｔａｐ−１）と、複素加算器６３と、識別器６４と、加算器６６と、制御部（タップ制御部）６７から構成されており、これらの処理部が入力端子６１と出力端子６５との間に設けられている。
受信フィルタ３４からの信号ｙｎが入力端子６１を介して遅延部６２に入力される。
遅延部６２は、入力信号ｙｎを１サンプル分ずつＮｔａｐ個の段階に遅延させ、最も遅延していない信号（例えば、遅延無しの信号）を０番目の複素乗算器Ｆ（０）へ出力し、最も遅延した信号を（Ｎｔａｐ−１）番目の複素乗算器Ｆ（Ｎｔａｐ−１）へ出力し、その間の各複素乗算器Ｆ（１）〜Ｆ（Ｎｔａｐ−２）に対してもそれぞれに対応した遅延信号を出力する。
各複素乗算器Ｆ（０）〜Ｆ（Ｎｔａｐ−１）は、遅延部６２からの入力信号と制御部６７により設定される各タップ利得係数ｇ０〜ｇＮｔａｐ−１とを複素乗算し、その結果を複素加算器６３へ出力する。
なお、遅延部６２からの出力信号は、制御部６７にも入力される。
【００６０】
複素加算器６３は、全ての複素乗算器Ｆ（０）〜Ｆ（Ｎｔａｐ−１）からの入力信号を加算し、その総和結果を識別器６４及び複素加算器６６へ出力する。
識別器６４は、複素加算器６３からの入力信号に基づいてデータ（例えば、０値或いは１値）を識別（判定）し、識別した値を出力端子６５へ出力する。この値は、送信時のシンボルｕｍの推定値ｕ’ｍを等化出力から識別したものであり、複素加算器６６にも入力される。
複素加算器６６は、識別器６４の入力信号と出力信号との差（逆位相での加算結果）を取得し、その結果を誤差信号として制御部６７へ出力する。
制御部６７は、本例では、各フレーム毎の初期においてはＩＩＲフィルタ３８から入力される信号ａｋに基づいて各複素乗算器Ｆ（０）〜Ｆ（Ｎｔａｐ−１）に対して各タップ利得係数ｇｋ（＝ａｋ）を設定し、その後においては複素加算器６６から入力される誤差信号に基づいて例えば当該誤差信号が小さく（好ましくは、例えば、最小に）なるように各タップ利得係数ｇｋの値を制御する。
【００６１】
このように、本例では、ＩＩＲフィルタ３８からの出力信号ａｋ（ｋ＝０、１、・・・、Ｎｔａｐ−１）は、各フレーム毎に１回、等化器３９に入力され、そして、等化器３９は入力された信号ａｋをタップ利得係数ｇｋ（ｋ＝０、１、・・・、Ｎｔａｐ−１）の初期値として設定する。
また、等化器３９では、タップ利得係数ｇｋの初期値を設定した後には、次の初期値が設定されるまで、内部の制御部６７によりタップ利得係数ｇｋを更新する。
【００６２】
以上のように、本例の基地局装置や携帯無線端末装置の受信機では、トランスバーサル型の等化器３９のタップ利得係数を算出する回路（タップ利得係数算出回路）として、バッファ３５や相関演算部３６や係数設定部３７やＮ次の自己回帰型ＩＩＲフィルタ（本例では、伝達関数は（式９）に示されるＢ（ｚ））を備えている。
相関演算部３６は受信ベースバンド信号と同期ワードパターンとの相関ｃｎ（ｎ＝０、１、・・・、Ｎ−１）を演算し、係数設定部３７はＩＩＲフィルタ３８の係数をｂ０＝１／ｃ０、ｂｋ＝−ｃｋ／ｃ０（ｋ＝１、２、・・・、Ｎ−１）に設定し、ＩＩＲフィルタ３８はロールオフ特性のフィルタ係数ｒｋ（ｋ＝０、１、・・・、Ｎｔａｐ−１）を入力してその時における出力信号ａｋ（ｋ＝０、１、・・・、Ｎｔａｐ−１）を等化器３９のタップ利得係数として出力する。このように、タップ利得係数算出回路により同期ワードの相関結果から算出される値ａｋにより、等化器３９のタップ利得係数の初期値を設定する。
【００６３】
従って、本例の受信機では、例えば、タップ利得係数の制御部６７で使用されるアルゴリズムに関係なく、１０〜１６シンボル程度の長さである同期ワード部の受信信号を用いて、等化器３９のタップ利得係数の初期値を算出することができる。このため、前フレームにおけるタップ利得係数を保持する必要がなくなることから、係数が発散したような場合においても、次のフレームではタップ利得係数を収束させて受信を可能にすることができ、受信不可能となるフレームの数を少なく（例えば、最小に）することができる。
ここで、タップ利得係数算出回路は、例えば、ＦＰＧＡ（Ｆｉｅｌｄ  Ｐｒｏｇｒａｍｍａｂｌｅ  Ｇａｔｅ  Ａｒｒａｙ）により構成することも可能である。
【００６４】
また、本例では、等化器３９のタップ利得係数ｇｋの初期値が設定された後に次の初期値が設定されるまでその値を更新する構成を示したが、他の構成例として、等化器３９のタップ利得係数ｇｋの値（本例で言う初期値）が設定されてから次の値（本例で言う初期値）が設定されるまでその値を一定に維持するような構成が用いられてもよく、つまり、ＩＩＲフィルタ３８から等化器３９に設定されるタップ利得係数ｇｋを次に設定されるまで固定値として使用する構成が用いられてもよい。
【００６５】
なお、本例の無線通信システムに設けられた受信機では、トランスバーサル型の等化器３９が用いられており、バッファ３５や相関演算部３６により同期ワードの相関結果を取得する機能により取得手段が構成されており、係数設定部３７やＩＩＲフィルタ３８により等化器３９のタップ利得係数の値を設定する機能により設定手段が構成されている。また、本例の受信機では、相関演算部３６などに設けられたメモリにより同期ワードのパターンを記憶する機能により記憶手段が構成されており、相関演算部３６により同期ワードの相関結果を演算する機能により相関演算手段が構成されており、係数設定部３７によりＩＩＲフィルタ３８の係数を設定する機能により係数設定手段が構成されており、ＩＩＲフィルタ３８によりフィルタリングを行う機能によりフィルタ手段が構成されている。
【００６６】
次に、図７及び図８を参照して、本発明を適用することが可能なシステムの一例を示す。
図７には、防災デジタル無線システムの一例である消防デジタル無線システムの構成例を示してある。
本例の消防デジタル無線システムは、操作部８１と表示部８２と記憶部８３を有する指令装置（指令卓）７１と、回線制御装置（無線回線制御装置）７２と、複数であるｐ個の基地局装置Ｇ１〜Ｇｐと、複数であるｐ個の遠隔制御器Ｈ１〜Ｈｐと、複数であるｑ個の移動局装置Ｉ１〜Ｉｑを備えている。
各移動局装置Ｉ１〜Ｉｑは、車載機９１と携帯機９２から構成されており、また、携帯機９２を置くための置台９３を有している。
【００６７】
本例の消防デジタル無線システムは、東京都など各都道府県の地域防災のために用いることができる。本例では、指令装置７１や回線制御装置７２は防災センタに設置されており、各基地局装置Ｇ１〜Ｇｐは消防署内或いはビルの上や街中や山上などの外部に設置されており、各遠隔制御器Ｈ１〜Ｈｐは消防署内に設置されており、各移動局装置Ｉ１〜Ｉｑは消防車或いは救急車などの車両に設置されている。
各車両では、例えば、車載機９１や置台９３が当該各車両に取り付けられるなどして搭載されており、携帯機９２は人により持ち運ぶことや置台９３に置くことが可能になっている。
なお、図７に示されるのと同様なシステムを複数設けて、いずれかのシステムを運用するとともに他のシステムを予備として待機させ、運用しているシステムが故障したときに予備のシステムを運用させることで全体の運用を継続させるような構成とすることも可能である。
また、基地局装置Ｇ１〜Ｇｐとの間で通信する配下の装置としては、例えば、固定機、半固定機、携帯機、可搬機など、種々なものが用いられてもよい。
【００６８】
本例の消防デジタル無線システムにおいて行われる動作の概要を示す。
指令装置７１では、操作部８１が人（指令者）により操作されることにより各種の指示や情報を入力し、表示部８２が表示対象となる各種の情報を画面に表示出力し、メモリから構成された記憶部８３が記憶対象となる各種の情報を記憶する。
指令者は、指令装置７１から配下の装置（回線制御装置７２、基地局装置Ｇ１〜Ｇｐ、遠隔制御器Ｈ１〜Ｈｐ、移動局装置Ｉ１〜Ｉｑ）へ各種の指示を送信することができる。また、指令者は、指令装置７１が配下の装置から受信した各種の情報を画面表示により見ることができる。また、必要な情報は、記憶部８３に保持される。
【００６９】
回線制御装置７２は、例えば有線で指令装置７１と複数の基地局装置Ｇ１〜Ｇｐと接続されており、これらの間の通信を中継し、また、無線回線などに関する各種の制御を行う。
各基地局装置Ｇ１〜Ｇｐは、通信可能な領域（エリア）に存在する移動局装置Ｉ１〜Ｉｑとの間で無線により通信し、また、有線で接続された各遠隔制御器Ｈ１〜Ｈｐとの間で通信する。
各遠隔制御器Ｈ１〜Ｈｐは、有線で接続された各基地局装置Ｇ１〜Ｇｐとの間で通信し、例えば、移動局装置と同様な機能を有しており、人（署員）により操作などされる。
各移動局装置Ｉ１〜Ｉｑは、当該各移動局装置Ｉ１〜Ｉｑが収容される基地局装置Ｇ１〜Ｇｐとの間で無線により通信する。
【００７０】
図８には、車載機９１の構成例及び携帯機９２の構成例を示してある。
車載機９１は、アンテナ１０１と、無線部１０２と、キー操作部１０３と、表示部１０４と、マイクを有するマイク部１０５と、例えば２つのスピーカを有するスピーカ部１０６と、メモリ１０７と、携帯インタフェース１０８と、制御部１０９を備えている。
携帯機９２は、アンテナ１１１と、無線部１１２と、キー操作部１１３と、表示部１１４と、マイクを有するマイク部１１５と、スピーカを有するスピーカ部１１６と、メモリ１１７と、車載インタフェース１１８と、制御部１１９を備えている。
ここで、車載機９１が有する内部の処理機能と携帯機９２が有する内部の処理機能は、例えばスピーカの数が異なるなどの相違はあるが、概略的には、同様である。
【００７１】
車載機９１では、無線部１０２がアンテナ１０１により基地局装置Ｇ１〜Ｇｐとの間で信号を無線送信や無線受信し、キー操作部１０３が人（使用者）からのキー操作を受け付け、表示部１０４が使用者に対して情報を画面に表示し、マイク部１０５が使用者などにより発せられる音（音声）を入力し、スピーカ部１０６が使用者に対して音（音声）を出力し、メモリ１０７が例えば呼び出されるための電話番号となる呼出情報（ＩＤ情報）を記憶し、携帯インタフェース１０８が携帯機９２の車載インタフェース１１８との間で例えば光信号により通信し、制御部１０９が各種の制御を行う。
【００７２】
同様に、携帯機９２では、無線部１１２がアンテナ１１１により基地局装置Ｇ１〜Ｇｐとの間で信号を無線送信や無線受信し、キー操作部１１３が人（使用者）からのキー操作を受け付け、表示部１１４が使用者に対して情報を画面に表示し、マイク部１１５が使用者などにより発せられる音（音声）を入力し、スピーカ部１１６が使用者に対して音（音声）を出力し、メモリ１１７が例えば呼び出されるための電話番号となる呼出情報（ＩＤ情報）を記憶し、車載インタフェース１１８が車載機９１の携帯インタフェース１０８との間で例えば光信号により通信し、制御部１１９が各種の制御を行う。
【００７３】
ここで、車載機９１のメモリ１０７に記憶される呼出情報（ＩＤ情報）と携帯機９２のメモリ１１７に記憶される呼出情報（ＩＤ情報）としては、同一の情報が設定される。
また、車載機９１と携帯機９２とは、携帯機９２が置台９３に置かれた状態では携帯インタフェース１０８と車載インタフェース１１８との間で通信することが可能であるが、例えば、携帯機９２が置台９３から取り外されて持ち運ばれる状態では携帯インタフェース１０８と車載インタフェース１１８との間では通信しない。
【００７４】
本例では、携帯機９２が置台９３にセットされている（置かれている）状態では、携帯機９２は特に機能せず、基地局装置Ｇ１〜Ｇｐからの受信や、基地局装置Ｇ１〜Ｇｐへの送信や、キー入力や、表示出力や、音声入力や、音声出力などは全て車載機９１により行われる。
一方、携帯機９２が置台９３から取り外された状態では、携帯機９２により基地局装置Ｇ１〜Ｇｐからの受信や、基地局装置Ｇ１〜Ｇｐへの送信や、キー入力や、表示出力や、音声入力や、音声出力などの全てが行われ、この状態では、車載機９１により基地局装置Ｇ１〜Ｇｐからの受信や、表示出力や、音声出力のみが行われる。つまり、車載機９１と携帯機９２とは同一の呼出情報（ＩＤ情報）が設定されており、受信は両方で同時に行うことが可能であるが、送信は片方ずつ行う構成となっている。
【００７５】
なお、置台９３から取り外された携帯機９２は、車載機９１を介さずに、基地局装置Ｇ１〜Ｇｐとの間で直接的に無線通信する。この点は、通常の親子電話の子機とは異なる点であると考えられる。
また、携帯機９２が置台９３にセットされた状態や置台９３から取り外された状態は、車載機９１や携帯機９２により検出されて、それぞれの制御部１０９、１１９によりそのときの状態に応じて実行可能な機能（或いは、実行不可能な機能）が設定される。
【００７６】
また、車載機９１では、２つのスピーカを有しており、例えば、携帯機９２が置台９３から取り外された状態では、基地局装置Ｇ１〜Ｇｐから携帯機９２へ送信される通話の内容を一のスピーカから音声出力するとともに、携帯機９２から基地局装置Ｇ１〜Ｇｐへ送信される通話の内容を他のスピーカから音声出力する。
一例として、消防車などに移動局装置Ｉ１〜Ｉｑが設けられており、当該消防車などが火災などの現場にいて、或る隊員が携帯機９２を持って当該消防車などの外部に出て活動し、他の隊員が当該消防車などの内部で待機する際に、当該他の隊員は車載機９１から出力される音声を聞くことにより、携帯機９２と基地局装置Ｇ１〜Ｇｐとの間で行われる通話の内容を聞くことができる。
なお、例えば、基地局装置Ｇ１〜Ｇｐから移動局装置Ｉ１〜Ｉｑへの下りの通信と、移動局装置Ｉ１〜Ｉｑから基地局装置Ｇ１〜Ｇｐへの上りの通信とでは、異なる周波数が用いられる。
【００７７】
また、基地局装置Ｇ１〜Ｇｐの側（例えば、指令装置７１）と移動局装置Ｉ１〜Ｉｑとの間の通信としては、例えば、プレストーク通信が行われる構成が用いられてもよく、或いは、通常の携帯電話のような両方向同時通信が行われる構成が用いられてもよく、或いは、他の態様の通信が行われる構成が用いられてもよい。また、基地局装置Ｇ１〜Ｇｐの側から移動局装置Ｉ１〜Ｉｑへ報知のための情報を送信して、移動局装置Ｉ１〜Ｉｑが当該情報の受信に応じて当該情報を（自動的に）出力するような構成を用いることもできる。
【００７８】
消防車の場合には、例えば、プレストーク通信が用いられ、指令装置７１から複数の消防車の移動局装置Ｉ１〜Ｉｑを呼び出してグループ通信（例えば、事業リンクでのグループ通信）し、このグループ内でプレストーク通信することにより、これら複数の消防車により同一の火災現場の処置を行うことができる。
救急車の場合には、例えば、通常の電話のような通信が用いられ、発話（発呼）及び受話により通話を行うことができる。
また、例えば、車載機９１と携帯機９２との間で離れた所でも無線により通信することが可能な機能を車載機９１及び携帯機９２に設けることも可能である。この場合、一例として、トンネル内などの不感地帯で携帯機９２を車両の外部に持ち出すときに、車載機９１と携帯機９２をトランシーバのように用いて互いに通話することができる。
【００７９】
ここで、本発明に係るシステムや装置や機器などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置や機器として提供することも可能である。
また、本発明の適用分野としては、必ずしも以上に示したものに限られず、本発明は、種々な分野に適用することが可能なものである。
また、本発明に係るシステムや装置や機器などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００８０】
【図１】本発明の一実施例に係る無線通信システムの概略的な構成例を示す図である。
【図２】本発明の一実施例に係る受信機の構成例を示す図である。
【図３】相関演算部の構成例を示す図である。
【図４】ＩＩＲフィルタの構成例を示す図である。
【図５】等化器の構成例を示す図である。
【図６】無線フレームのフォーマットの一例を示す図である。
【図７】消防デジタル無線システムの構成例を示す図である。
【図８】車載機及び携帯機の構成例を示す図である。
【符号の説明】
【００８１】
１・・送信機、  ２・・受信機、  ３・・伝搬路、  １１・・アップサンプラ、  １２・・送信フィルタ部、  １３、１４・・アンテナ、  １５、２２・・受信フィルタ部、  １６、２３・・復調処理部、  ２１、４１、５１、６１・・入力端子、  ２４、４３、５２、６５・・出力端子、  ３１・・ＲＦ部、  ３２・・Ａ／Ｄ変換器、  ３３・・直交復調部、  ３４・・受信フィルタ、  ３５・・バッファ、  ３６・・相関演算部、  ３７・・係数設定部、  ３８・・ＩＩＲフィルタ、  ３９・・等化器、  ４２、Ｃ、６３、６６・・複素加算器、  Ａ・・１シンボル遅延回路、  Ｂ、Ｄ、Ｆ・・複素乗算器、  Ｅ・・１サンプル遅延回路、  ６２・・遅延部、  ６４・・識別器、  ６７・・制御部、
７１・・指令装置、  ７２・・回線制御装置、  ８１・・操作部、  ８２、１０４、１１４・・表示部、  ８３・・記憶部、  ９１・・車載機、  ９２・・携帯機、  ９３・・置台、  Ｇ１〜Ｇｐ・・基地局装置、  Ｈ１〜Ｈｐ・・遠隔制御器、  Ｉ１〜Ｉｑ・・移動局装置、  １０１、１１１・・アンテナ、  １０２、１１２・・無線部、  １０３、１１３・・キー操作部、  １０５、１１５・・マイク部、  １０６、１１６・・スピーカ部、  １０７、１１７・・メモリ、  １０８・・携帯インタフェース、  １０９、１１９・・制御部、  １１８・・車載インタフェース、
【図１】
2007228004.tif 000018
【図２】
2007228004.tif 000019
【図３】
2007228004.tif 000020
【図４】
2007228004.tif 000021
【図５】
2007228004.tif 000022
【図６】
2007228004.tif 000023
【図７】
2007228004.tif 000024
【図８】
2007228004.tif 000025